(57)【要約】【課題】ハウジングの成形型および成形設備を小型化できる電線保持装置を提供することを目的とする。【解決手段】ハウジング１０の外周壁１５に窓孔１５ａを形成し、それぞれの一端が窓孔１５ａの開口縁に連結されるとともに互いに対向して立ち上がり、その上端部において互いに連結した一対の平板１８によって電線保持片１７を構成する。電線保持片１７は押動されて、ハウジング１０の内部に向かって突出するように反転する。反転した電線保持片１７が電線３０を押圧することによって、電線３０が屈曲された上で保持孔１６ａ内に挿入され、電線保持片１７と保持孔１６ａとの間で電線３０が挟持されることによって、電線３０はハウジング１０に保持される。【選択図】  図５
2005011685.tif 000002
【特許請求の範囲】
【請求項１】
端子に接続された電線を収容するハウジングを備え、前記電線を保持する電線保持装置において、
前記ハウジングの外周壁に窓孔を形成し、前記窓孔の開口縁を連結するように電線保持片を架設し、前記電線保持片は前記ハウジングの外周壁から外方に向かって突出する退避位置と、押動されることによって前記ハウジングの内部に向かって反転した反転位置との間で変形可能とされ、前記電線保持片は反転位置において前記ハウジングの内部に向かって突出して前記電線を押圧し、前記ハウジングに形成された電線受部との間で挟持することによって前記電線が前記ハウジングに保持されることを特徴とする電線保持装置。
【請求項２】
前記電線保持片は、それぞれ一端が前記窓孔の開口縁に連結されるとともに、前記開口縁から対向して立ち上がり、それぞれ他端が互いに連結された一対の平板によって断面が略山形状に形成されていることを特徴とする請求項１記載の電線保持装置。
【請求項３】
前記電線受部は、前記ハウジングに形成され、反転した前記電線保持片と対向する保持壁、および前記保持壁に開口された保持孔によって構成され、反転位置にある前記電線保持片によって押圧された前記電線が、屈曲されて前記保持孔内に挿入され、前記電線保持片と前記保持孔間で挟持されることによって前記ハウジングに保持されることを特徴とする請求項１または請求項２記載の電線保持装置。
【発明の詳細な説明】
【０００１】
【発明の属する技術分野】
本発明は、端子に接続された電線を保持する電線保持装置に関する。
【０００２】
【従来の技術】
従来より、端子に接続された電線を収容するハウジングを、ハウジング本体と蓋体とで構成し、蓋体をヒンジによってハウジング本体に可撓性を備えて連結した電線保持装置があった（例えば、特許文献１参照）。この電線保持装置は、蓋体をハウジング本体に対して閉状態にすることによって、蓋体とハウジング本体との間で電線を挟圧してハウジングに保持している。
【０００３】
【特許文献１】
特開平１１−１９１４４２号公報（第１図および第３図）
【０００４】
【発明が解決しようとする課題】
上述した電線保持装置によれば、ハウジングを成形する際に、ハウジング本体に対して蓋体を開状態にして、ハウジング本体と蓋体とを展開状態にして製造するため、展開形状が形成された成形型が大型化し、成形設備も大型のものが必要となる。
【０００５】
本発明は上述したような事情に基づいて完成されたものであって、ハウジングの成形型および成形設備を小型化できる電線保持装置を提供することを目的とする。
【０００６】
【課題を解決するための手段】
上述の目的を達成するための手段として、請求項１の発明は、端子に接続された電線を収容するハウジングを備え、前記電線を保持する電線保持装置において、前記ハウジングの外周壁に窓孔を形成し、前記窓孔の開口縁を連結するように電線保持片を架設し、前記電線保持片は前記ハウジングの外周壁から外方に向かって突出する退避位置と、押動されることによって前記ハウジングの内部に向かって反転した反転位置との間で変形可能とされ、前記電線保持片は反転位置において前記ハウジングの内部に向かって突出して前記電線を押圧し、前記ハウジングに形成された電線受部との間で挟持することによって前記電線が前記ハウジングに保持されることを特徴とする電線保持装置とした。
【０００７】
請求項２の発明は、前記電線保持片は、それぞれ一端が前記窓孔の開口縁に連結されるとともに、前記開口縁から対向して立ち上がり、それぞれ他端が互いに連結された一対の平板によって断面が略山形状に形成されていることを特徴とする請求項１記載の電線保持装置とした。
【０００８】
請求項３の発明は、前記電線受部は、前記ハウジングに形成され、反転した前記電線保持片と対向する保持壁、および前記保持壁に開口された保持孔によって構成され、反転位置にある前記電線保持片によって押圧された前記電線が、屈曲されて前記保持孔内に挿入され、前記電線保持片と前記保持孔間で挟持されることによって前記ハウジングに保持されることを特徴とする請求項１または請求項２記載の電線保持装置とした。
【０００９】
【発明の作用及び効果】
＜請求項１の発明＞
ハウジングの外周壁に外方に向かって突出する電線保持片を、ハウジングの内部に向かって突出するように反転させ、反転した電線保持片によって電線を押圧して電線受部との間で挟持することによって、電線がハウジングに保持される構成にしたことにより、ハウジングに蓋体を形成する必要がなく、ハウジングの成形型および成形設備を小型化できる。
【００１０】
＜請求項２の発明＞
電線保持片はハウジングの窓孔の開口縁から立ち上がり、互いに連結された一対の平板によって断面が略山形状に形成される構成にしたことにより、簡素な構造かつ小型で製造の容易な電線保持装置にすることができる。
【００１１】
＜請求項３の発明＞
電線が反転した電線保持片と保持孔間で挟持されることによってハウジングに保持される構成にしたことにより、あらゆる太さの電線も強固にハウジングに保持される。
【００１２】
【発明の実施の形態】
＜第１実施形態＞
本発明の第１実施形態を図１乃至図５によって説明する。本発明の電線保持装置に該当するコネクタ１は、ハウジング１０、端子２０および端子２０にかしめられて接続された電線３０によって構成されている。端子２０は図示しない相手側端子と嵌合するタブ部２１および電線３０をかしめる基部２２によって構成されている。端子２０および電線３０はハウジング１０内に収容される。ハウジング１０は合成樹脂材料によって一体に形成され、図示しない相手側コネクタと嵌合するフード部１１と、フード部１１に連続して形成された端子収容部１２とを備えている。フード部１１の前方部には、相手側コネクタと嵌合する際に相手側コネクタに形成されたロック片と係合するロック受部１３が形成されている。
【００１３】
端子収容部１２には、端子２０の基部２２が収容される複数のキャビティ１２ａが形成されている。端子収容部１２には、各々のキャビティ１２ａ内に突出するようにランス１４が形成されている。キャビティ１２ａは、外周壁１５および保持壁１６によってその上下を囲まれている。外周壁１５には、窓孔１５ａが形成されており、窓孔１５ａの対向する開口縁からは、一対の平板１８がそれぞれ斜め方向に互いに対向するように立ち上がっている。
【００１４】
一対の平板１８はともにその平面形状が長方形をした同一形状のものであり、それぞれ下端部において窓孔１５ａの開口縁に連結されるとともに、その上端部において互いに連結されている。その結果、一対の平板１８は図１にあるようにその断面がおよそ山形状に形成され、窓孔１５ａの対向した開口縁を連結するように架設されている。一対の平板１８は、外周壁１５とともに成形工程にて一体に形成されており、それぞれ窓孔１５ａの開口縁との連結部および上端部にある互いの連結部は薄肉部とされている。
【００１５】
一対の平板１８は電線保持片１７を構成しており、電線保持片１７は、上述した薄肉部を支点として図１の下方に撓み倒れ可能とされている。電線保持片１７は、図１に示したように、外周壁１５からハウジング１０の外方に突出した退避位置と、退避位置から一対の平板１８が下方に押動されることによって、図５に示したように、ハウジング１０の内部に向かって突出するように反転させた反転位置との間で変形可能とされている。
【００１６】
一方、キャビティ１２ａの下方に位置し、反転位置にある電線保持片１７と対向する保持壁１６には、貫通孔である保持孔１６ａが設けられている。保持孔１６ａの開口部の形状は円形あるいは矩形等の任意の形状が可能であり、その大きさは保持する電線の外径寸法に応じて適当な大きさに設定される。保持壁１６および保持孔１６ａは本発明の電線受部に該当する。また、保持孔１６ａを含んだ保持壁１６の厚さは、保持孔１６ａの下端から保持された電線３０が突出しないような厚みに設定される。
【００１７】
次に、コネクタ１の組付け方法について説明する。図１に示すように、電線保持片１７が退避位置にあるハウジング１０の後方から、電線３０をかしめた端子２０をキャビティ１２ａ内に挿入していく。端子２０のキャビティ１２ａへの進入によって、図４に示すようにハウジング１０のランス１４が、撓みながら端子２０の基部２２と係合して端子２０の抜け止めが行われ、端子２０のキャビティ１２ａへの挿入が完了する。この状態で、端子２０のタブ部２１はフード部１１の内部に突出しており、ハウジング１０が相手側コネクタと嵌合することによって、タブ部２１は相手側端子と嵌合可能となっている。
【００１８】
その後、図４に示した電線保持片１７がハウジング１０の外周壁１５から外方に突出した退避位置にある状態から、電線保持片１７を下方に押圧することによって、一対の平板１８が撓みながら下方に押動され反転し、図５に示すようにハウジング１０の内部に突出した反転位置にある状態となる。この状態において、電線保持片１７が電線３０を押圧することによって、電線３０が屈曲されながら保持孔１６ａ内に挿入され、電線３０は電線保持片１７と保持孔１６ａとの間で挟持されることによって、ハウジング１０に保持される。電線３０が保持孔１６ａ内に挿入されて保持される構成によって、保持される電線３０の外径寸法を所定範囲内で多少変化させても、電線保持片１７および保持孔１６ａ等の仕様を変えずとも強固に保持することが可能である。
【００１９】
上述した実施形態によれば、ハウジング１０の外周壁１５に外方に向かって突出する電線保持片１７を、ハウジング１０の内部に向かって突出するように反転させ、反転した電線保持片１７によって電線３０を押圧して保持孔１６ａとの間で挟持することによってハウジング１０に保持させる構成にしたことにより、ハウジング１０に蓋体を形成する必要がなく、ハウジング１０の成形型および成形設備を小型化できる。
【００２０】
また、電線保持片１７はハウジング１０の窓孔１５ａの開口縁から立ち上がり、その上端部において互いに連結された一対の平板１８によって断面が略山形状に形成されることにより、簡素な構造かつ小型にすることができる。更に、電線保持片１７によって押圧することによって、電線３０が屈曲されて保持孔１６ａに挿入され、反転した電線保持片１７と保持孔１６ａ間で挟持されることによってハウジング１０に保持される構成にしたことにより、あらゆる太さの電線も強固にハウジング１０に保持される。
【００２１】
＜第２実施形態＞
次に、本発明の第２実施形態を図６によって説明する。本実施形態においては第１実施形態のものに比較して外径寸法のかなり大きい電線３０´をハウジング１０に保持させており、電線３０´の外径寸法に合わせて保持孔１６ａの開口部の大きさを変更（大きく）している。その他の構成については第１実施形態のものと同様の構成を備えている。本実施形態においても、電線３０´の外径寸法に合わせて保持孔１６ａの開口部の大きさを変更することによって、電線３０´の外径寸法に拘わらず電線３０´を強固に保持することができる。
【００２２】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）電線保持片は、必ずしもその断面が山形状をしていなくてもよく、３個の平板を用いた断面が台形状のもの、あるいは曲面で構成されたループ状のもの等、ハウジングの外方に突出した退避位置と、下方に押動されることによって、ハウジングの内部に向かって突出するように反転された反転位置との間で変形可能なものであれば任意の形状のものが適用可能である。
（２）屈曲された電線が挿入される保持孔は必ずしも必要ではなく、反転位置にある電線保持片と平坦な形状の電線受部との間で電線を挟持するようにしてもよい。
【図面の簡単な説明】
【図１】本発明の第１実施形態によるコネクタの、ハウジングに端子を収容する前の状態を示す断面図である。
【図２】図１に示したハウジングの平面図である。
【図３】図１に示したハウジングの左側面図である。
【図４】第１実施形態によるコネクタの、ハウジングに端子を収容した状態を示す断面図である。
【図５】第１実施形態によるコネクタの、電線保持片を反転位置にして電線を保持した状態を示す断面図である。
【図６】本発明の第２実施形態によるコネクタの、電線保持片を反転位置にして電線を保持した状態を示す要部断面図である。
【符号の説明】
１…コネクタ
１０…ハウジング
１５…外周壁
１５ａ…窓孔
１６…保持壁
１６ａ…保持孔
１７…電線保持片
１８…平板
２０…端子
３０、３０´…電線
【図１】
2005011685.tif 000003
【図２】
2005011685.tif 000004
【図３】
2005011685.tif 000005
【図４】
2005011685.tif 000006
【図５】
2005011685.tif 000007
【図６】
2005011685.tif 000008